(57)【要約】【課題】軽量・コンパクトで耐久性に優れ、コストを抑えた仕分棚を得ること。【解決手段】仕分棚２は、上下天板７，８と左右側板９，１０とで全体四角形に構成されるスチール製外枠３と、上下天板７，８に上下両端が連結され、左右側板９，１０の間で互いに平行配列された複数の仕切シート４と、左右側板９，１０に左右両端が連結され、上下天板７，８の間で互いに平行配列された合成樹脂製の複数の棚板５と、外枠３の背後を覆い外枠３及び棚板５に支持された背シート６とを備える。各棚板５は、複数の棚片１２を隣り同士連結して構成され、隣り合う棚片１２が各仕切シート４を挟んで同シート４に連結される。仕分棚２は、外枠３、各仕切シート４、各棚板５及び背シート６により区画される多数の箱室１１が上下多段かつ左右多列に配置される。【選択図】        図１
2005000210.tif 000002
【特許請求の範囲】
【請求項１】
上下一対の天板と左右一対の側板とにより全体が四角形に構成される金属製の外枠と、
前記一対の天板に上下両端が連結され、前記一対の側板の間で互いに平行に配列された複数の仕切シートと、
前記一対の側板に左右両端が連結され、前記一対の天板の間で互いに平行に配列された合成樹脂製の複数の棚板と、
前記各棚板は複数の棚片を隣り同士連結することにより構成され、それら隣り合う棚片が前記各仕切シートを挟むことでその仕切シートに連結されることと、
前記外枠の背後を覆い、前記外枠及び前記棚板に支持された背シートと
を備え、前記外枠、前記各仕切シート、前記各棚板及び前記背シートにより区画される多数の箱室が上下多段かつ左右多列に配置されたことを特徴とする郵便及び封書の仕分棚。
【請求項２】
前記各仕切シートは上下両端に突設される連結代を含み、前記連結代は二つに折り畳まれることで互いに整合する一対の連結孔を含み、前記折り畳まれた連結代の間に挟まれる補強板が設けられ、前記各天板に固定される連結棒が前記補強板を挟んで折り畳まれた前記連結代の連結孔に挿通されることにより、前記各仕切シートの上下両端が前記各天板に連結されることを特徴とする請求項１に記載の郵便及び封書の仕分棚。
【請求項３】
前記各棚板の前記各棚片は一体的に設けられた札入凹部を含み、前記各棚片はその左右一側に複数のピンをその左右他側に複数の連結孔を含み、前記各仕切シートは隣り合う棚片により挟まれる位置に前記各連結孔に整合する通孔を含み、前記隣り合う棚片が前記仕切シートを挟みながら前記各ピンが前記連結孔及び前記通孔を貫通することにより、前記各棚片が前記各仕切シートに連結されることを特徴とする請求項１又は２に記載の郵便及び封書の仕分棚。
【発明の詳細な説明】
【０００１】
【発明の属する技術分野】
この発明は、郵便や封書の仕分けに使われるものであって、多数の箱室が上下多段かつ左右多列に配置されてなる郵便及び封書の仕分棚に関する。
【０００２】
【従来の技術】
従来、この種の仕分棚として、複数の箱室を上下多段に配置したもの、複数の箱室を上下多段かつ左右多列に配置したものがある。このような仕分棚は、一般には、全体がスチール又は木を材料として構成される。スチール製や木製の仕分棚では、重量があり、取り扱いに労力を要することになった。
【０００３】
そこで、軽量化を図るために材質を工夫した郵便用仕分棚が、例えば、下記の特許文献１乃至３に記載される。
【０００４】
特許文献１には、軽量化のために全体がダンボールを材料として構成される仕分棚が記載される。この仕分棚は、不使用時の保管性を改善するために、分解・組立可能に構成される。
【０００５】
特許文献２には、軽量化のために全体が合成樹脂により一体成形される区分棚が記載される。この区分棚は、不使用時の保管性を改善するために、複数が互いに積み重ねられて収容可能に構成される。
【０００６】
特許文献３には、軽量化のために全体がアルミニウムにより形成される仕分棚が記載される。この仕分棚は、不使用時の保管性を改善するために、分解・組立可能に構成される。
【０００７】
【特許文献１】
実開昭６２−５６１８６号公報（第１〜５頁，図１〜１８）
【特許文献２】
実開平５−９４１９７号公報（第２頁，図１〜１０）
【特許文献３】
特開平６−１４２６１９号公報（第２〜７，図１〜１２）
【０００８】
【発明が解決しようとする課題】
ところが、特許文献１に記載の仕分棚では、全体がダンボールを材料として構成されることから、高い剛性が得られなかった。このため、多量の郵便物を収容した場合に、全体に変形や歪みが生じるおそれがあった。また、長期にわたる耐久性を確保することも難しかった。加えて、左右方向の仕切壁に複数枚のダンボールが使用されることから、仕分棚の横幅寸法に対し、全仕切壁の厚み分を確保する必要があり、その分だけ横幅寸法が増えることになった。更に、常置場所に設置して使う仕分棚にあっては、分解・組立可能に構成する必要がなかった。
【０００９】
また、特許文献２に記載の区分棚では、全体が合成樹脂により一体成形され、しかも複雑な凹凸形状をなすことから、部分的な変形が全体形状を大きく歪ませるおそれがあった。また、全体剛性を確保するために、左右方向の仕切壁にある程度の厚みが要求されることから、区分棚の横幅寸法に対し、全仕切壁の厚み分を確保する必要があり、その分だけ横幅寸法が増えることになった。更に、この場合も、常置場所に設置して使う区分棚にあっては、分解・組立可能に構成する必要がなかった。
【００１０】
更に、特許文献３に記載の仕分棚では、全体がアルミニウムにより構成されることから、ある程度の剛性が得られ、軽量化も可能であるものの、製造コストが増える傾向にあった。また、この場合も、常置場所に設置して使う仕分棚にあっては、分解・組立可能に構成する必要がなかった。
【００１１】
この発明は上記事情に鑑みてなされたものであって、その目的は、軽量・コンパクトで耐久性に優れ、製造コストを低減させることを可能とした郵便及び封書の仕分棚を提供することにある。
【００１２】
【課題を解決するための手段】
上記目的を達成するために、請求項１に記載の発明は、上下一対の天板と左右一対の側板とにより全体が四角形に構成される金属製の外枠と、一対の天板に上下両端が連結され、一対の側板の間で互いに平行に配列された複数の仕切シートと、一対の側板に左右両端が連結され、一対の天板の間で互いに平行に配列された合成樹脂製の複数の棚板と、各棚板は複数の棚片を隣り同士連結することにより構成され、それら隣り合う棚片が各仕切シートを挟むことでその仕切シートに連結されることと、外枠の背後を覆い、外枠及び棚板に支持された背シートとを備え、外枠、各仕切シート、各棚板及び背シートにより区画される多数の箱室が上下多段かつ左右多列に配置されたことを趣旨とする。
【００１３】
上記発明の構成によれば、外枠、各仕切シート、各棚板及び背シートにより区画される多数の箱室に郵便や封書が収容されることにより、箱室の数だけ郵便や封書が仕分される。ここで、金属製の外枠が使用されることから、基本骨格として十分な剛性が得られる。また、左右一対の側板の間を多数仕切るために、厚みの少ない仕切シートが使用されることから、左右方向の箱室の数の割りには、左右方向の寸法増加が抑えられる。更に、外枠の他は、比較的軽量な仕切シート、背シート及び合成樹脂製の棚板が使用されるので、全体重量の増加が抑えられる。
【００１４】
上記目的を達成するために、請求項２に記載の発明は、請求項１に記載の発明において、各仕切シートは上下両端に突設される連結代を含み、連結代は二つに折り畳まれることで互いに整合する一対の連結孔を含み、折り畳まれた連結代の間に挟まれる補強板が設けられ、各天板に固定される連結棒が補強板を挟んで折り畳まれた連結代の連結孔に挿通されることにより、各仕切シートの上下両端が各天板に連結されることを趣旨とする。
【００１５】
上記発明の構成によれば、請求項１に記載の発明の作用に加え、各仕切シートの上下両端の連結代が共通する連結棒を介して各天板に対して一体的連結される。ここで、各天板に固定される連結棒は、補強板を挟んで二つに折り畳まれた連結代の連結孔に挿通されるので、二つ折りのシート厚みと補強板との協働により連結代の強度が向上する。
【００１６】
上記目的を達成するために、請求項３に記載の発明は、請求項１又は２に記載の発明において、各棚板の各棚片は一体的に設けられた札入凹部を含み、各棚片はその左右一側に複数のピンをその左右他側に複数の連結孔を含み、各仕切シートは隣り合う棚片により挟まれる位置に各連結孔に整合する通孔を含み、隣り合う棚片が仕切シートを挟みながら各ピンが連結孔及び通孔を貫通することにより、各棚片が各仕切シートに連結される。
【００１７】
上記発明の構成によれば、請求項１又は２に記載の発明の作用に加え、上下各段の棚板を設けるのに、隣り合う棚片は各仕切シートを挟んでピン及び連結孔により連結するだけなので、組付作業が容易となる。上下各段の棚板は、各仕切シートに連結されるので、外枠に対して吊り下げ状態で支持されることになる。また、各棚片には、札入凹部が一体的に設けられることから、後付けの必要がない。
【００１８】
【発明の実施の形態】
以下、本発明の郵便及び封書の仕分棚を具体化した一実施の形態を図面を参照して詳細に説明する。
【００１９】
図１に、脚台１に載せられた郵便及び封書の仕分棚２を斜視図に示す。図２に、同じく脚台１に載せられた仕分棚２を正面図に示す。図３に、仕分棚２を側断面図に示す。仕分棚２は、金属製（例えば、スチール製）の外枠３と、外枠３の縦方向に沿って伸び互いに平行に配列された複数の仕切シート４と、外枠３の横方向に沿って伸び互いに平行に配列された合成樹脂製の複数の棚板５と、外枠３の背後を覆う背シート６とを備える。
【００２０】
外枠３は、上下一対をなす上天板７及び下天板８と、左右一対をなす左側板９及び右側板１０とにより全体が四角形に構成される。各仕切シート４は、上天板７と下天板８とに上下両端が連結され、左側板９と右側板１０との間で互いに平行に配列される。各棚板５は、左側板９と右側板１０とに左右両端が連結され、上天板７と下天板８との間で互いに平行に配列される。背シート６は、外枠３及び各棚板５の背面に支持される。仕分棚２は、外枠３、各仕切シート４、各棚板５及び背シート６により区画される多数の箱室１１が上下多段かつ左右多列に配置される。各棚板５は、複数の棚片１２を隣り同士連結することにより構成される。これら隣り合う棚片１２は、各仕切シート４を挟むことで同シート４に連結される。
【００２１】
図１，３に示すように、仕分棚２は、その両側板９，１０の下部に取り付けられたパッチン錠１３により脚台１に固定される。脚台１の脚部１ａには、断面Ｌ形の転倒防止金具１４が取り付けられる。この金具１４を床面にボルト等で固定することにより、脚台１及び仕分棚２の転倒が防止される。
【００２２】
図４に、一枚の仕切シート４を側面図に示す。仕切シート４には、材質として例えば「ＰＰ」が使用される。仕切シート４は、縦長形状をなし、厚さ「０．４ｍｍ」程度に形成される。仕切シート４は、その上下両端に突設される連結代１５を含む。この実施の形態では、仕切シート４の上端に三つの連結代１５が、下端に二つの連結代１５がそれぞれ突設される。
【００２３】
図５に、仕分棚２の一部を平面図に示す。図６に、図３の円の中を拡大して示す。仕切シート４の上端に設けられた連結代１５は、上天板７に設けられたスリット７ａを貫通して上方へ突出する。これら連結代１５に連結棒１６が挿通されることにより、各仕切シート４の上端が上天板７に連結される。下天板８に対する仕切シート４の連結についても上記と同様である。
【００２４】
図７に、一つの連結代１５を拡大して示す。連結代１５は、二つに折り畳み可能に設けられる。連結代１５は、二つに折り畳まれることで互いに整合する一対の連結孔１５ａを含む。連結代１５に関わり、図８に示す略Ｔ形の補強板１７が設けられる。補強板１７は、二つに折り畳まれた連結代１５の間に挟まれる。図９に、連結代１５と連結棒１６の連結状態を斜視図に示す。連結代１５は、補強板１７を挟んで二つに折り畳まれた状態で綴込金具１８により綴じ込まれる。補強板１７は、両面テープ等の接着剤により連結代１５に貼り付けられる。図９に示すように、連結代１５の連結孔１５ａに連結棒１６が挿通されることにより、仕切シート４の上端が上天板７に連結される。仕切シート４の下端の連結代１５についても同様である。
【００２５】
図１０に、一つの棚片１２を平面図に示す。図１０において、左側が正面であり、下側が右側面であり、上側が左側面である。図１１に、棚片１２の右側面図を示す。図１２に、棚片１２の左側面図を示す。棚片１２は、合成樹脂により成形される。棚片１２の上面には、互いに平行な２本のリブ１２ａが形成される。これらリブ１２ａの上に、はがき等の郵便や封書が載せられる。棚片１２は、その右側面に突設される二つのピン１２ｂを含む。棚片１２は、その左側面に、各ピン１２ｂに整合する二つの連結孔１２ｃを含む。棚片１２は、その背面に突設される一つのピン１２ｄを含む。
【００２６】
棚片１２は、その下方へ凹むように一体的に形成された札入凹部１９を含む。札入凹部１９の開口部には、上板２０が嵌め込まれて溶着される。この上板２０の上面は、棚片１２の上面と面一をなす。図１３に、札入凹部１９の断面図を示す。この札入凹部１９には、仕分けされる郵便や封書の行き先などを示す札２１が収容される。札入凹部１９の底壁には、長孔１９ａが形成される。この長孔１９ａに指を差し入れることにより、棚片１２の上面に載せられたはがき等が押し上げられて取り出しやすくなっている。
【００２７】
図４に示すように、仕切シート４は、隣り合う棚片１２により挟まれる位置に、棚片１２の各連結孔１２ｃに整合する二つの通孔４ａを含む。図１４に、棚板５の裏側の一部を示す。隣り合う棚片１２が仕切シート４を挟みながら各ピン１２ｂが連結孔１２ｃ及び通孔４ａを貫通することにより、各棚片１２が各仕切シート４に連結される。図４において、仕切シート４の右側は、複数の湾曲縁４ｂにより波状に形成される。各湾曲縁４ｂは、仕分棚２の縦方向に列ぶ各箱室１１に対応して配置される。仕切シート４は、この波状側が、仕分棚２の前側に配置される。
【００２８】
図１５に、背シート６を正面図に示す。背シート６は、材質として、例えば「ＰＰ」が使用される。背シート６は、長方形状に形成され、厚さ「０．４ｍｍ」程度に形成される。背シート６は、光透過性を有する乳白色に形成される。背シート６は、縦横に規則的に配列された多数の通孔６ａを含む。図１６に、仕分棚２の一部を正面図に示す。図５，６，１０〜１２，１４，１６に示すように、背シート６の各通孔６ａは、外枠３及び棚板５（各棚片１２）の背面に突設される各ピン１２ｄ，７ｂに整合する。そして、外枠３及び棚板５の背後を背シート６で覆った状態で、外枠３及び棚板５に設けられた各ピン１２ｄ，７ｂに、背シート６の各通孔６ａを嵌め合わせることにより、背シート６が外枠３及び棚板５に連結される。
【００２９】
以上説明したこの実施の形態の仕分棚２によれば、外枠３、各仕切シート４、各棚板５及び背シート６により区画される多数の箱室１１に郵便や封書が収容されることにより、それら箱室１１の数だけ郵便や封書が仕分される。この仕分棚２の背面は、ＰＰ製の薄い背シート６で覆われるので、背シート６に衝撃吸収性が得られる。従って、例えば、郵便はがきを仕分けする際、各箱室１１に無造作に放り込まれたはがきが背シート６に衝突しても、その衝突時の衝撃が背シート６に吸収される。このため、はがきの跳ね返りを防止することができる。また、背シート６が薄く光透過性を有する乳白色に形成されるので、仕分棚２の背後から人工光や自然光を各箱室１１に取り込むことができる。このため、各箱室１１の中を明るく保つことができ、郵便や封書の仕分作業に寄与する。
【００３０】
更に、図３，６に示すように、各仕切シート４につき複数の湾曲縁４ｂを含む波状側が、仕分棚２の前側に配置される。従って、仕分棚２において横方向に列ぶ複数の箱室１１につき、各仕切シート４の湾曲縁４ｂが隣り同士互いに整合することになる。このため、作業者が、横方向に列ぶ複数の箱室１１に沿って水平方向へ手を無造作に動かしたとしても、各湾曲縁４ｂの凹みにより、手と仕切シート４との干渉が避けられ、手が仕切シート４に触れにくくなる。このため、郵便や封書の仕分作業の円滑化を図ることができる。
【００３１】
ここで、仕分棚２には、スチール製の外枠３が使用されるので、仕分棚２の基本骨格として十分な剛性が得られる。従って、仕分棚２に多量の郵便や封書を収容しても、その重みで全体に変形や歪みが生じることがない。この結果、仕分棚２として長期にわたる耐久性を確保することができる。
【００３２】
また、この実施の形態では、左右一対の側板９，１０の間を多数仕切るために、厚みの少ない仕切シート４が使用されるので、左右方向の箱室１１の数の割りには、左右方向（横幅）の寸法増加が抑えられる。このため、仕分棚２の横幅をコンパクトにすることができる。このことにより、仕分棚２の横幅を大きくせずに、各箱室１１の間口を相対的に大きくすることができる。
【００３３】
更に、この実施の形態では、外枠３の他は、比較的軽量な仕切シート４、背シート６及び合成樹脂製の棚板５が使用されるだけなので、全体重量の増加が抑えられる。このため、軽量な仕分棚２を得ることができ、その取り扱い上の労力を軽減することができる。
【００３４】
加えて、この実施の形態では、仕分棚２の材料として、スチールや合成樹脂、「ＰＰ」が使用されるだけなので、全体がアルミニウム製やスチール製の仕分棚に比べて製造コストを低減させることができる。
【００３５】
この実施の形態の仕分棚２によれば、各仕切シート４の上下両端の連結代１５が共通する連結棒１６を介して上下の天板７，８に対して一体的連結される。ここで、各天板７，８に固定される連結棒１６は、補強板７を挟んで二つに折り畳まれた連結代１５の連結孔１５ａに挿通される。従って、二つ折りのシート厚みと補強板１７との協働により連結代１５の強度が向上する。このため、各仕切シート４の上下両端の連結部分には、各棚板５に載せられる郵便や封書の荷重が集中するが、これに対して、各仕切シート４の上下両端の連結部分における耐久性を向上させることができ、延いては、仕分棚２の耐久性向上に寄与する。
【００３６】
この実施の形態の仕分棚２によれば、上下各段の棚板５を設けるのに、隣り合う棚片１２は各仕切シート４を挟んでピン１２ｂ及び連結孔１２ｃにより連結するだけなので、組付作業が容易となる。これにより、仕分棚２の製造コストの削減を更に図ることができる。
【００３７】
ここで、この実施の形態では、上下各段の棚板５は、各仕切シート４に連結されるので、各棚板５は外枠３に対して吊り下げ状態で支持されることになる。つまり、各仕切シート４には引張力が作用するが、各仕切シート４それ自体は、引っ張り方向の力に強いので、郵便や封書の荷重を受けても仕切シート４が変形することがない。
【００３８】
また、この実施の形態では、棚板５を構成する各棚片１２には、札入凹部１９が一体的に設けられるので、札入凹部１９を棚片１２に後付けする必要がない。このため、仕分棚２の製造手間を省くことができ、その製造コストの削減に寄与する。
【００３９】
尚、この発明は前記実施の形態に限定されるものではなく、発明の趣旨を逸脱することのない範囲で構成の一部を適宜変更することにより次のように実施することができる。
【００４０】
（１）前記実施の形態では、図４に示すように、仕切シート４の片側を、複数の湾曲縁４ｂにより波状に形成したが、図１７に示すように、複数の傾斜縁４ｃにより鋸刃状に形成してもよい。ここでは、仕切シート４の上半分と下半分とで、各傾斜縁４ｃの向きを逆にする。このように各傾斜縁４ｃの向きを異ならせることにより、作業者が腕を上げて作業するときと、腕を下げて作業するときに合わせて、手と仕切シート４との干渉をうまく避けることができる。
【００４１】
（２）前記実施の形態では、図１０〜１２に示すように、各棚片１２の上面に平行な２本のリブ１２ａを形成したが、これらリブ１２ａの代わりに、図１８に示すように、棚片１２の上面に緩く傾斜する一対の凸条１２ｅを互いに平行に形成してもよい。この場合、各箱室において、棚片１２上の凸条１２ｅが奥へ向かって傾斜するので、これら凸条１２ｅに載せられる郵便及び封書２３の前端が持ち上がり、郵便及び封書２３の取り出しが容易となる。また、郵便及び封書２３が各箱室の奥へ向かって下がるので、棚片１２上から郵便及び封書２３が脱落し難くなる。
【００４２】
（３）前記実施の形態では、図１に示すように、上天板７の上側が開口しているが、この開口を塞ぐカバーを設けてもよい。このカバーを設けることにより、カバーがない場合に上天板７の開口内に郵便や封書を置き忘れたり、開口内に埃が溜まったりすることを防止することができる。
【００４３】
（４）前記実施の形態では、右側板１０（左側板９も同様）の表面を露出させたが、これら側板の上に化粧板を被せてもよい。このように化粧板を被せることで、仕分棚の意匠性を高めることができる。
【００４４】
（５）この他、仕分棚の上天板の上にメモ用のホワイトボードを設置したり、そのホワイトボードに対して照明用の蛍光灯を取り付けたりしてもよい。
【００４５】
【発明の効果】
請求項１に記載の発明によれば、軽量・コンパクトで耐久性に優れた仕分棚を得ることができ、仕分棚の製造コストを低減させることができる。
【００４６】
請求項２に記載の発明によれば、請求項１に記載の効果に加え、各仕切シートの上下両端の連結部分における耐久性を向上させることができ、延いては、仕分棚の耐久性向上に寄与する。
【００４７】
請求項３に記載の発明によれば、請求項１又は２に記載の発明の効果に加え、棚板の組付作業が容易となり、製造手間を省くことができ、仕分棚の製造コストの削減を更に図ることができる。
【００４８】
【図面の簡単な説明】
【図１】一実施の形態に係り、脚台に載せた仕分棚を示す斜視図。
【図２】脚台に載せた仕分棚を示す正面図。
【図３】仕分棚を示す側断面図。
【図４】仕切シートを示す側面図。
【図５】仕分棚の一部を示す平面図。
【図６】図３の円の中を拡大して示す断面図。
【図７】連結代を拡大して示す側面図。
【図８】補強板を示す正面図。
【図９】連結代と連結棒の連結状態を示す斜視図。
【図１０】棚片を示す平面図。
【図１１】棚片を示す右側面図。
【図１２】棚片を示す左側面図。
【図１３】札入凹部を示す断面図。
【図１４】棚板の裏側を示す図。
【図１５】背シートを示す正面図。
【図１６】仕分棚の一部を示す正面図。
【図１７】別の実施の形態に係り、仕切シートを示す側面図。
【図１８】別の実施の形態に係り、棚片を示す右側面図。
【符号の説明】
２      仕分棚
３      外枠
４      仕切シート
４ａ    通孔
５      棚板
６      背シート
７      上天板
８      下天板
９      左側板
１０    右側板
１１    箱室
１２    棚片
１２ｂ  ピン
１２ｃ  連結孔
１５    連結代
１５ａ  連結孔
１６    連結棒
１７    補強板
１９    札入凹部
２３    郵便及び封書
【図１】
2005000210.tif 000003
【図２】
2005000210.tif 000004
【図３】
2005000210.tif 000005
【図４】
2005000210.tif 000006
【図５】
2005000210.tif 000007
【図６】
2005000210.tif 000008
【図７】
2005000210.tif 000009
【図８】
2005000210.tif 000010
【図９】
2005000210.tif 000011
【図１０】
2005000210.tif 000012
【図１１】
2005000210.tif 000013
【図１２】
2005000210.tif 000014
【図１３】
2005000210.tif 000015
【図１４】
2005000210.tif 000016
【図１５】
2005000210.tif 000017
【図１６】
2005000210.tif 000018
【図１７】
2005000210.tif 000019
【図１８】
2005000210.tif 000020